(57)【要約】【課題】  オペレータがプラントに合ったオペレーション方法、画面展開方法を決定でき、オペレータに最適な画面展開をすることが可能なプラント監視制御装置を提供する。【解決手段】  Ｌｉｎｋ追加ボタン２０２を操作すると、画面上の所定位置に新たなＬｉｎｋボタン２０１が表示されるとともに、Ｌｉｎｋ追加ウィンドウ画面が現れ、展開する画面が選択可能となる。ここで、例えば水位トレンド画面を選択するとＬｉｎｋボタン２０１は水位トレンド画面用のＬｉｎｋボタンとなり、これを操作すると水位トレンド画面に展開させることができる。このように所望の展開画面を選択し指定するためのＬｉｎｋボタンを画面に貼り付けることにより、オペレータは、最適な画面に展開させることができる。【選択図】  図３
2006236182.tif 000002
【特許請求の範囲】
【請求項１】
プラントの監視および制御を行うための画面を表示する表示装置を有するプラント監視制御装置において、所望の展開画面を選択し指定するためのリンクボタンを、表示された画面上の任意の位置に貼り付けて表示させる手段と、表示された前記リンクボタンに対して所定の操作が行われたとき、前記リンクボタンにより指定された展開画面に展開して表示装置に表示するように制御する制御手段とを備えたことを特徴とするプラント監視制御装置。
【請求項２】
請求項１に記載のプラント監視制御装置において、前記リンクボタンにより展開画面を選択し指定する場合、プラントの状態により、展開画面を指定することができるようにしたことを特徴とするプラント監視制御装置。
【請求項３】
請求項１または請求項２に記載のプラント監視制御装置において、前記表示装置が複数台の表示装置からなるものとし、前記リンクボタンにより展開画面を選択し指定するときに、展開画面を他の表示装置に表示するように指定した場合に、前記制御手段は、展開画面を他の表示装置に表示するように制御することを特徴とするプラント監視制御装置。
【請求項４】
請求項１または請求項２に記載のプラント監視制御装置において、前記リンクボタンを、選択により自動展開を行うための自動展開用のリンクボタンとすることができるものとし、自動展開用のリンクボタンを選択した場合、前記制御手段は、その自動展開用のリンクボタンにより指定された展開画面を先頭にして、次々に自動展開用のリンクボタンのある画面に展開して表示するように制御することを特徴とするプラント監視制御装置。
【請求項５】
請求項１または請求項２または請求項４に記載のプラント監視制御装置において、前記リンクボタンにより展開画面を選択し指定するときに、予め定められた時間に展開画面に展開して表示するように指定した場合、前記制御手段は、予め定められた時間に展開画面に展開して表示するように制御することを特徴とするプラント監視制御装置。
【発明の詳細な説明】
【技術分野】
【０００１】
本発明は、プラントの監視および制御を行うプラント監視制御装置に関する。
【背景技術】
【０００２】
プラントの監視制御装置においては、オペレータは、ＣＲＴに表示された画面例えばグラフィック画面等によりプラントの状態を監視し、状況に応じて表示画面を適宜切替え、必要な操作を行っている（例えば、特許文献１、特許文献２参照）。
【０００３】
このように、オペレータが操作を行うオペレータインタフェース装置（以下、ＯＩＳという）において、オペレータが画面操作を行う場合にはＣＲＴに表示されたメニュー形式の画面から該当の画面へ階層的に展開していく方式と、専用キーボードにより直接、該当の画面へ展開する方式がある。
【０００４】
一般的にオペレータは、この両方を適宜使い分けてプラントの監視を行っている。例えば、浄水場プラントの監視において、本日はプラントの故障が発生していないかどうかをアラーム一覧表示というメニューをオペレータが選択し、異常の発生を確認したら、例えば異常箇所のプロセスフロー画面を表示させたり、故障機器の詳細を確認するために画面を展開し、アラームの内容を確認したり、ＩＴＶ画面の選択を行い、ＩＴＶ画面を表示させたりと、特にプラントに異常が発生したときに、画面選択、操作が増える傾向にある。
【０００５】
また、ＣＲＴが複数台設置されている浄水場においては、複数のＣＲＴを駆使して画面操作を行ってプラントの監視、故障の状態等を監視している。
【０００６】
オペレータは、監視制御装置メーカの作成したＯＩＳの画面を駆使してプラントの監視を行うことになるが、前述の様に画面選択、専用キーボード等はオペレータが自由に変更することは出来ずに、オペレーションの慣れに頼って操作しているのが現状である。
【０００７】
前述の専用キーボードを利用すれば、該当の画面をワンタッチで表示させることも可能となるが、キーボードに配置できる画面数にも限りがあり、キーボードに配置できなかった画面は、メニュー画面等から階層的に選択していく必要があり、該当の画面を探すのに時間がかかったりしていた。特に、このようなプラント監視においては、メーカの作成した監視制御装置に慣れるしかなく、自分で使いやすいように画面展開を工夫することができなかった。
【０００８】
特にプラントが複雑化、大規模化されるに従って、益々ＯＩＳのオペレーションは監視画面数の増加に伴い、複雑になってきている。
【特許文献１】特開２００３−９１３１５号公報
【特許文献２】特開平５−２２４７３９号公報
【発明の開示】
【発明が解決しようとする課題】
【０００９】
上述したように、従来の監視制御装置では、メーカが作成したオペレーション方法、画面展開方法、キーボード割付に従い、画面選択を駆使してプラントの監視を行うが、必ずしもメーカが作成したオペレーション方法は、プラント監視に最適かどうかは、実際のプラントを運用してみるまで判らない面もあり、オペレータも監視制御装置の操作方法は、このようなものだと判断し、使い勝手が悪くとも、慣れでカバーしているのが実態であった。
【００１０】
本発明は上述した課題を解決するためになされたものであり、ＯＩＳのオペレーション方法、画面展開方法として、オペレータがプラントに合ったオペレーション方法、画面展開方法を決定でき、オペレータに最適な画面展開をすることが可能なプラント監視制御装置を提供することを目的とする。
【課題を解決するための手段】
【００１１】
上記目的を達成するために、本発明は、プラントの監視および制御を行うための画面を表示する表示装置を有するプラント監視制御装置において、所望の展開画面を選択し指定するためのリンクボタンを、表示された画面上の任意の位置に貼り付けて表示させる手段と、表示されたリンクボタンに対して所定の操作が行われたとき、リンクボタンにより指定された展開画面に展開して表示装置に表示するように制御する制御手段とを備えたことを特徴とする。
【発明の効果】
【００１２】
本発明によれば、オペレータがプラントに合ったオペレーション方法、画面展開方法を決定でき、オペレータに最適な画面展開をすることができる。
【発明を実施するための最良の形態】
【００１３】
以下、本発明に係るプラント監視制御装置の実施形態について、図面を参照して説明する。
【００１４】
（第１の実施形態）
まず、図１を用いて第１の実施形態を説明する。本実施形態は、オペレータ１２０が監視操作を行うＣＰＵ（すなわちＯＩＳ）１０１と、プラントとのインタフェースを行うＰＬＣ１５１から監視制御装置が構成されている。ＯＩＳ１０１には、オペレータ１２０との対話を行うため、ＣＲＴ表示装置１１１、キーボード１１２、マウス１１３が具備されている。
【００１５】
このように構成された本実施形態において、オペレータ１２０がＣＲＴ表示装置１１１の画面上からプラントの監視制御を行うためにキーボード１１２、マウス１１３を駆使してプラントを監視するための画面選択を行うが、本実施形態では、メーカが準備した画面展開方法だけでなく、図２（１）に示すようにＬｉｎｋ（リンク）ボタン２０１を画面上に追加（貼り付け）することが可能となる。Ｌｉｎｋボタンは、オペレータがＣＲＴ画面上の任意の位置に画面毎に複数個貼り付けることが可能となる。このＬｉｎｋボタンには、展開画面を設定することが可能である。
【００１６】
例えば図２（１）のＬｉｎｋボタン２０１に、展開画面（水位トレンド画面）を設定することにより、オペレータが利用しやすい画面展開が可能となる。
【００１７】
このように、Ｌｉｎｋボタンを用いてオペレータが利用しやすい画面展開を行うＬｉｎｋ機能が無ければ、水位トレンド画面を表示するためには、先ずトレンドのメニュー画面を表示させ、メニュー画面の中から該当の水位トレンド画面を探し出し、それから水位トレンド画面を選択し、水位トレンドグラフを表示させることになる。特に大規模プラントでは、システムの規模も大きくなり、トレンドメニュー画面も必然的に多くなり、多くのメニューから水位トレンドを探し出すことは困難となっていた。
【００１８】
図２（２）が、Ｌｉｎｋボタン２０１を選択し、展開画面へ展開した水位トレンド画面例である。
【００１９】
なお、Ｌｉｎｋボタンの追加／編集／削除操作については  図２（１）のＬｉｎｋ追加ボタン２０２、Ｌｉｎｋ編集ボタン２０３、Ｌｉｎｋ削除ボタン２０４の各ボタンにて行う。
【００２０】
Ｌｉｎｋ追加ボタン２０２を操作した場合には、画面上の所定の位置に新たなＬｉｎｋボタン２０１が表示されてＬｉｎｋボタン追加が行われるとともに、図３のＬｉｎｋ追加ウィンドウ画面に示す表示が現われ、展開する画面が選択可能となる。そして、図３のＬｉｎｋ追加ウィンドウ画面で、水位トレンド画面を選択する（水位トレンド画面が選択されている状態でＯＫボタンを押す）と、Ｌｉｎｋボタン２０１は水位トレンド画面用のＬｉｎｋボタンとなり、これを操作することにより図２（２）に示すように水位トレンド画面に展開させることができる。なお、ボタンの配置場所については、Ｌｉｎｋボタン２０１をマウスの操作で適宜移動させることにより、画面内に自由に設定できる。
【００２１】
また、Ｌｉｎｋボタン２０１を移動させた位置に応じて、選択させる展開画面の優先順位を変えることもできる。例えば、追加表示したＬｉｎｋボタン２０１を配水池の近傍に移動させた場合は水位トレンド画面を最優先の展開画面とするが、ポンプの表示の近傍に移動させた場合は、例えばプロセスフロー配水を最優先の展開画面とするように表示させることもできる。
【００２２】
Ｌｉｎｋ編集ボタン２０３を操作した場合には、編集モードとなり、選択されたＬｉｎｋボタンの展開する画面の変更が可能となる。Ｌｉｎｋ削除ボタン２０４を選択した場合には、選択されたＬｉｎｋボタンが削除される。
【００２３】
ここで、本実施形態の機能ブロック図を図８に示す。図８の１１１、１１２、１１３、１５１は、それぞれ図１の１１１、１１２、１１３，１５１に対応するＣＲＴ、キーボード、マウス、ＰＬＣである。また、ＣＰＵを１０１で示す。
【００２４】
ＰＬＣ１５１から入力されたプラント情報は、ＰＬＣデータ受信プログラム８３１で受信されてＰＬＣデータ８３２へ展開され、ＰＬＣデータ８３２の情報は、トレンド表示プログラム８１１、グラフィック画面処理プログラム８１２、アラーム表示プログラム８１３の各機能プログラムで利用される。
【００２５】
各機能プログラム８１１〜８１３で処理された情報は、画面表示プログラム８０１に従い、ＣＲＴ１１１で表示される。
【００２６】
また、オペレータの操作は、入力処理プログラム８０２により処理され、画面展開の指示があれば、画面表示プログラム８０１に対して画面切替を指示する。
【００２７】
また、Ｌｉｎｋボタンの指示があれば、Ｌｉｎｋボタン管理プログラム８１４へデータが渡され、Ｌｉｎｋボタンデータベース８２１でＬｉｎｋボタンの情報が保存される。
【００２８】
このデータベース８２１の情報は、各機能プログラム８１１〜８１３にて画面展開指示のボタンの情報として利用される。
【００２９】
（第２の実施形態）
次に、第１の実施形態における展開画面を選択する機能において、プラントの状態により展開画面を複数、設定することが可能な機能とした本発明の第２の実施形態について説明する。すなわち、第１の実施形態では、展開する画面は１種類だけの選択であったが、この第２の実施形態では、プラントの状態により展開画面を複数設定することが可能となる。
【００３０】
例えば、図３のＬｉｎｋ追加ウィンドウ画面の代わりに、図４に示すようなＬｉｎｋ条件付き追加ウィンドウ画面４０１が表示される。そして、このＬｉｎｋ条件付き追加ウィンドウ画面の条件の項目名に、水位を入力すると、図示のように、各条件とそれに対応する展開画面との関係が表示され、水位５．００ｍ以上の場合には、展開画面は送水ポンプ停止画面へ展開し、水位２．００ｍ以下の場合には、送水ポンプ運転画面へ展開し、２．００〜５．００ｍの範囲の場合には、水位トレンド画面へ展開する。
【００３１】
これは、水位５．００ｍ以上の時には配水池の水位が上限に近いので配水池へ送水されるポンプの停止画面へ切り替える。逆に２．００ｍ以下の時には、このままでは配水池の水が無くなるので、送水ポンプ運転画面へ切り替える。正常範囲の時には、配水池の水位がどのように変化しているかを確認するために、水位トレンド画面へ展開する。
【００３２】
なお、このＬｉｎｋ条件付き追加ウィンドウ画面で、これらの条件例えば数値等を変更することも可能である。Ｌｉｎｋ条件付き追加ウィンドウ画面で条件の設定あるいは変更が行われた後、ＯＫボタンを押すと、その条件に応じた画面展開が行われる。
【００３３】
また、このＬｉｎｋ条件付き追加ウィンドウ画面の表示については、Ｌｉｎｋボタン２０１を移動させた位置に応じて、予めデフォルトとして設定された条件が表示され、オペレータが、必要に応じてこれを変更することとしてもよい。
【００３４】
なお、このようにオペレータが行った操作に基づくＬｉｎｋボタンに関する処理は、Ｌｉｎｋボタン管理プログラム８１４で行われる。
【００３５】
（第３の実施形態）
次に、複数台のＣＲＴが監視制御装置に備わっている場合、現在表示しているＣＲＴ以外のＣＲＴに別画面（展開画面）を表示させることした本発明の第３の実施形態について、図５を用いて説明する。
【００３６】
一般的にＣＲＴ毎にキーボード、マウス等が設置してあり他のＣＲＴには、そのキーボード、マウスを利用して表示させることになるが、本実施形態では、他のＣＲＴへ展開画面を表示させることも可能となる。図５のボタン５０１は、他ＣＲＴへのＬｉｎｋボタンである。本実施形態においては、図３のＬｉｎｋ追加ウィンドウ画面の下部に、表示させるＣＲＴを選択するための表示が設けられた画面が現われる。
【００３７】
例えば、ＣＲＴ１において、Ｌｉｎｋ追加ウィンドウ画面でＣＲＴ２を選択しておいて、Ｌｉｎｋボタン５０１を操作すると、ＣＲＴ２に、例えば図５の右側に示すような画面が表示される。
【００３８】
以上のように、第１の実施形態では、自ＣＲＴの画面が展開するのに対して、この第３の実施形態では、他ＣＲＴに該当の画面（展開画面）を表示させることが可能となる。
【００３９】
他ＣＲＴの指定方法についても、ＣＲＴを任意に指定する方法と、自ＣＲＴの例えば左隣（あるいは右隣）のＣＲＴに表示させるといった指定も可能である。
【００４０】
この実施形態では、他のＣＲＴに設置されたキーボード、マウス等の入力装置で画面表示をさせる必要が無く、自ＣＲＴの前にて、複数のＣＲＴを有効活用してプラントの監視を行うことが可能となる。
【００４１】
なお、本実施形態においても、オペレータが行った操作に基づくＬｉｎｋボタンに関する処理は、Ｌｉｎｋボタン管理プログラム８１４で行われる。
【００４２】
（第４の実施形態）
次に、本発明に係る画面のＬｉｎｋ機能を利用し、オートＬｉｎｋ表示を行うこと（自動展開機能）とした本発明の第４の実施形態について、図６を使って説明する。
【００４３】
この第４の実施形態では、第１の実施形態のＬｉｎｋ機能、または第２の実施形態のＬｉｎｋ機能において、貼り付けたＬｉｎｋボタンにＡの文字を追加すると、Ａｕｔｏボタンの機能を果たすＬｉｎｋボタンとなる。（なお、貼り付けたＬｉｎｋボタンにＡの文字を追加する代わりに、図３に示すようなＬｉｎｋ追加ウィンドウ画面の所定位置にＡの文字を追加することとしてもよい。）Ａの文字については、画面に１枚だけ設定することが可能で、該当の画面を開いてから、Ａｕｔｏボタンを押すと、設定した時間毎にオートＬｉｎｋ表示機能（自動展開機能）が実行され画面展開が自動にて行われる。なお、Ａｕｔｏボタンを押したときの展開先の画面は、それぞれ展開した画面ごとに、例えば第１または第２の実施形態の場合と同様にＬｉｎｋ追加ウィンドウ画面で選択して設定する。
【００４４】
図６に示すように、ある画面Ａにおいて、Ｌｉｎｋボタン６０１にＡの文字を指定すると、Ａｕｔｏ機能登録となり、Ｌｉｎｋボタン６０１を選択する（押す）と、図６のようにＡｕｔｏ指定されたＬｉｎｋボタンの表示された展開先の各画面を、指定された一定時間（例えば３０秒間）表示し、自動的に次々に画面展開していく。Ａｕｔｏ指定されたＬｉｎｋボタンが途切れるとＡｕｔｏモードは最初の画面に戻り、この状態で、待機状態となるか、繰り返しＬｉｎｋ表示するかを選択することも可能となる。
【００４５】
通常の監視では、オペレータが監視するキーポイントが決まっている場合が多く、この場合、展開する画面の順序も決まっている。従って、一度、展開する画面順序を設定すれば、このオートＬｉｎｋ表示機能（自動展開機能）を用いることにより、次回の監視で、簡単な操作により前回と同じ画面展開を行い、監視することができる。
【００４６】
なお、本実施形態においても、オペレータが行った操作に基づくＬｉｎｋボタンに関する処理は、Ｌｉｎｋボタン管理プログラム８１４で行われる。
【００４７】
（第５の実施形態）
次に、本発明に係る画面のＬｉｎｋ機能を利用し、これにスケジュール機能を付加してスケジュールＬｉｎｋ表示機能とした本発明の第５の実施形態について、図７を使って説明する。
【００４８】
この第５の実施形態では、第１の実施形態または第２の実施形態のＬｉｎｋ機能において、貼り付けたＬｉｎｋボタン２０１にスケジュール機能を設ける。すなわち、図７に示すように、Ｌｉｎｋ追加ウィンドウ画面の下部に、スケジュール時間設定欄７０１を設ける。
【００４９】
このようにしてスケジュール機能を設けることにより、スケジュール時間設定欄７０１に、画面展開する時刻を入力すれば、設定されたスケジュール時刻に、オペレータが操作することなく、指定された展開画面表示が行われる。また、スケジュールＬｉｎｋ表示機能は、第４の実施形態との組合せも可能であり、スケジュール時刻となったら、オートＬｉｎｋ表示機能を実行するようにすることもできる。
【００５０】
なお、本実施形態においても、オペレータが行った操作に基づくＬｉｎｋボタンに関する処理は、Ｌｉｎｋボタン管理プログラム８１４で行われる。
【図面の簡単な説明】
【００５１】
【図１】本発明の第１〜５の実施形態の概略構成を示すブロック図。
【図２】本発明の第１の実施形態の動作を説明するための図で、同図（１）はＬｉｎｋボタンを貼り付ける動作を説明するためのプロセスフロー画面例を示す図、同図（２）は展開画面例（水位トレンド画面）を示す図。
【図３】本発明の第１の実施形態におけるＬｉｎｋ追加ウィンドウ画面例を示す図。
【図４】本発明の第２の実施形態におけるＬｉｎｋ条件付き追加ウィンドウ画面例を示す図。
【図５】本発明の第３の実施形態における他ＣＲＴ画面へのＬｉｎｋボタン展開例を示す図。
【図６】本発明の第４の実施形態の動作（オートＬｉｎｋ表示機能）を説明するための図。
【図７】本発明の第５の実施形態におけるスケジュールＬｉｎｋ追加ウィンドウ画面例を示す図。
【図８】本発明の第１〜５の実施形態における主要部の機能構成を示す図。
【符号の説明】
【００５２】
１０１…ＣＰＵ（ＯＩＳ）
１１１…ＣＲＴ表示装置
１１２…キーボード
１１３…マウス
１２０…オペレータ
１５１…ＰＬＣ
２０１、５０１、６０１…Ｌｉｎｋボタン
２０２…Ｌｉｎｋ追加ボタン
２０３…Ｌｉｎｋ編集ボタン
２０４…Ｌｉｎｋ削除ボタン
４０１…Ｌｉｎｋ条件付き追加ウィンドウ画面
７０１…スケジュール時間設定欄
８０１…画面表示プログラム
８０２…入力処理プログラム
８１１…トレンド表示プログラム
８１２…グラフィック画面処理プログラム
８１３…アラーム表示プログラム
８１４…Ｌｉｎｋボタン管理プログラム
８２１…Ｌｉｎｋボタンデータベース
８３１…ＰＬＣデータ受信プログラム
８３２…ＰＬＣデータ
【図１】
2006236182.tif 000003
【図２】
2006236182.tif 000004
【図３】
2006236182.tif 000005
【図４】
2006236182.tif 000006
【図５】
2006236182.tif 000007
【図６】
2006236182.tif 000008
【図７】
2006236182.tif 000009
【図８】
2006236182.tif 000010